(57)【要約】【課題】モータから発する振動を抑制し、騒音値を抑制させる。【解決手段】モータ９から取り出される信号発信用の電線１９には、モータ９内部から電気信号がノイズとして電線１９を伝達し、振動を発生させることがある。電線１９を束ねて、緩衝材２０を巻き付ける。これにより、振動は、緩衝材２０の発泡部２１に吸収され、減衰させることができる。発泡部２１はほぼ円形の連続体で、振動はこの円形内で反射することで振動波を打ち消しあうため、いったん緩衝材２０の発泡部２１に吸収された振動は、伝達が抑制されることとなる。緩衝材２０を巻き付けた電線１９はケーシング１１の電線通路に設けられた突起部２２に沿わせるように配線する。この突起部２２は、電線１９がケーシング１１に直接接することを防ぐことで、電線１９を通じて発生する振動が伝搬することを抑制するものである。【選択図】図５
2020020279.tif 000002
【特許請求の範囲】
【請求項１】
吸気口と吹出口とを有する本体ケースと、
前記本体ケース内に設けた送風機とを備え、
前記送風機は、
羽根と、
前記羽根を囲むケーシングと、
前記ケーシングに固定されたモータと、
前記モータの電線出口から延びる電線とを有し、
前記ケーシングは、
前記モータの少なくとも一部を覆うモータカバーと、
前記モータカバーから延び、前記電線が通る筒形状の連通路とを有し、
前記連通路は、前記モータの回転軸方向に対して垂直方向に延び、
前記モータの前記電線出口は、前記モータの回転方向における前記連通路の中心軸より一方側に配置され、
前記モータカバー側の前記連通路内には、前記モータの回転軸方向に延びた突起部を備え、
前記突起部と、前記モータの回転方向における前記突起部より一方側の前記連通路の内面との間に第１の空間を有し、
前記突起部と、前記モータの回転方向における前記突起部より他方側の前記連通路の内面との間に第２の空間を有し、
前記電線は、前記第２の空間を通るように配置されたことを特徴とする送風装置。
【請求項２】
前記突起部は、板状であり、
前記突起部の面は、前記連通路の中心軸に交わる方向に延びていることを特徴とする請求項１に記載の送風装置。
【請求項３】
前記第２の空間内における前記電線と、前記連通路の内面と前記突起部との間には、振動伝達抑制部材を設けたことを特徴とする請求項１または２に記載の送風装置。
【請求項４】
前記電線と、前記モータカバーとの間に第３の空間を有することを特徴とする請求項１から３のいずれかに記載の送風装置。
【請求項５】
前記振動伝達抑制部材は、前記電線の外周に固定された板形状であり、前記モータの前記電線出口から前記第２の空間まで延び、
前記振動伝達抑制部材は、
前記モータの回転軸方向における一方側である一方側面と、
前記モータの回転軸方向における他方側である他方側面と、
前記振動伝達抑制部材の前記一方側面が対向するように折り曲がる折り曲げ部分とを有し、
前記振動伝達抑制部材の前記一方側面は、前記連通路の前記モータの回転軸方向における一方側である一方側内面と対向することを特徴とする請求項４に記載の送風装置。
【発明の詳細な説明】
【技術分野】
【０００１】
本発明は、送風機と羽根を備えた送風装置に関するものである。
【背景技術】
【０００２】
従来、この種の送風装置として、除湿装置、加湿装置、空気清浄装置、加湿空気清浄装置等が知られている。加湿空気清浄装置は、吸気口と吹出口を有する本体ケースと、吸気口と吹出口とを連通する風路に設けた送風部と空気浄化部と加湿部とを備え、加湿部は、水を貯水するトレーと、トレーに水を供給するタンクと、トレーに供給された水に下端が浸漬したフィルターとを備えていることが知られている（特許文献１）。
【先行技術文献】
【特許文献】
【０００３】
【特許文献１】特開２００９−２５０４４８号公報
【発明の概要】
【発明が解決しようとする課題】
【０００４】
近年、この種の加湿空気清浄装置は、就寝時に用いられることも多く、より高い静音清音性が求められている。また、大風量、高回転数のものが主流となった為、使用領域の広域化に伴う共振ポイントの多岐化対策、羽根のアンバランスによる本体振動対策の必要性が高まっている。
【０００５】
また、最近は、省エネ性向上、細かな速調等の制御の高度化に伴って、ＤＣモータ化が進んでいる。ＤＣモータは、発熱量が比較的低く、弾性体を用いて振動対策を行うことができるようになっている。
【０００６】
このような従来の送風装置においては、送風機に取り付けられたモータが、回転する際、モータからの電気信号ノイズがモータリード線に振動伝達し、本体に伝搬するという課題がある。
【０００７】
そこで本発明は、モータの振動伝達を抑制する送風装置を提供することを目的とする。
【課題を解決するための手段】
【０００８】
そして、この目的を達成するために、本発明は、吸気口と吹出口とを有する本体ケースと、前記本体ケース内に設けた送風機とを備え、前記送風機は、羽根と、前記羽根を囲むケーシングと、前記ケーシングに固定されたモータと、前記モータの電線出口から延びる電線とを有し、前記ケーシングは、前記モータの少なくとも一部を覆うモータカバーと、前記モータカバーから延び、前記電線が通る筒形状の連通路とを有し、前記連通路は、前記モータの回転軸方向に対して垂直方向に延び、前記モータの前記電線出口は、前記モータの回転方向における前記連通路の中心軸より一方側に配置され、前記モータカバー側の前記連通路内には、前記モータの回転軸方向に延びた突起部を備え、前記突起部と、前記モータの回転方向における前記突起部より一方側の前記連通路の内面との間に第１の空間を有し、前記突起部と、前記モータの回転方向における前記突起部より他方側の前記連通路の内面との間に第２の空間を有し、前記電線は、前記第２の空間を通るように配置されたことを特徴としたものであり、これにより所期の目的を達成するものである。
【発明の効果】
【０００９】
本発明による送風装置は、吸気口と吹出口とを有する本体ケースと、前記本体ケース内に設けた送風機とを備え、前記送風機は、羽根と、前記羽根を囲むケーシングと、前記ケーシングに固定されたモータと、前記モータの電線出口から延びる電線とを有し、前記ケーシングは、前記モータの少なくとも一部を覆うモータカバーと、前記モータカバーから延び、前記電線が通る筒形状の連通路とを有し、前記連通路は、前記モータの回転軸方向に対して垂直方向に延び、前記モータの前記電線出口は、前記モータの回転方向における前記連通路の中心軸より一方側に配置され、前記モータカバー側の前記連通路内には、前記モータの回転軸方向に延びた突起部を備え、前記突起部と、前記モータの回転方向における前記突起部より一方側の前記連通路の内面との間に第１の空間を有し、前記突起部と、前記モータの回転方向における前記突起部より他方側の前記連通路の内面との間に第２の空間を有し、前記電線は、前記第２の空間を通るように配置されたものである。
【００１０】
以上の構成により、モータから出る信号ノイズによる電線の振動を抑制するという効果を得ることができる。
【図面の簡単な説明】
【００１１】
【図１】本発明の実施の形態１の送風装置を示す斜視図
【図２】同送風装置を示す斜視図
【図３】同送風装置を示す断面図
【図４】同送風装置のモータ固定部を示す展開図
【図５】同送風装置のモータと連通路を示す拡大図
【図６】同送風装置のモータを固定した状態を示す斜視図
【図７】本発明の実施の形態２の送風装置のモータと連通路を示す拡大図
【図８】同送風装置のモータの電線と緩衝材の断面図
【図９】同送風装置の緩衝材の内部を示す図
【図１０】同送風装置のモータと電線と緩衝材を示す図
【図１１】同送風装置のモータと電線と緩衝材を示す図
【発明を実施するための形態】
【００１２】
以下、本発明の実施の形態について図面を参照しながら説明する。
【００１３】
（実施の形態１）
図１は、本発明の実施の形態１の送風装置の斜視図であり、送風装置を前面側から見た図である。図２は、本発明の実施の形態１の送風装置の斜視図であり、パネルを開いて送風装置を前面側から見た図である。
【００１４】
図３は、本発明の実施の形態１の送風装置の断面図であり、送風装置を右側から見た図である。
【００１５】
図１、２、３に示すように、本実施形態の送風装置においては、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口５を備えている。第１の本体側面１Ａは、本体ケース１の前面側から見て、右側の側面である。本体ケース１の開口５には開閉可能なパネル３を備え、パネル３を開くと開口５から後述する本体ケース１内の加湿部７を取り出すことが出来る。本体ケース１の一方側の側面の吸気口２は、パネル３に設けられている。本体ケース１の天面には、吹出口４を備えている。
【００１６】
図２、図３に示すように、本体ケース１内には、送風機６と、加湿部７と、空気清浄部８とを備えている。
【００１７】
送風機６は、本体ケース１の中央部に設けられ、モータ９と、モータ９により回転する羽根１０と、それらを囲むスクロール形状のケーシング１１とを備えている。
【００１８】
羽根１０は、シロッコファンで、モータ９から水平方向に延びたモータ軸（図示せず）に固定され、モータ９は、ケーシング１１に固定されている。
【００１９】
加湿部７は、水を貯水する貯水容器１４と、貯水容器１４に水を供給するタンク部材１５と、貯水容器１４内の水に一部が浸漬したフィルター部１６とを備えている。貯水容器１４とフィルター部１６は、送風機６より下方に配置されている。
【００２０】
貯水容器１４は、天面を開口した箱形状をしており、水を貯水できる構造となっており、本体ケース１の下部に配置され、本体ケース１から水平方向にスライドして着脱可能となっている。
【００２１】
タンク部材１５は、本体ケース１内部の一方側の側面に設置され、貯水容器１４から着脱可能な構造となっている。
【００２２】
フィルター部１６は、貯水容器１４に貯水された水と、送風機６によって本体ケース１内に吸込まれた室内空気とを接触させる部材である。円筒状に構成され、円周部分に空気が流通可能な孔を備え、その一端が貯水容器１４の水に浸漬するように、フィルター部１６の水平方向に延びた中心軸を回転中心として貯水容器１４に回転自在に内蔵されている。そして、駆動部（図示しない）により回転され、水と室内空気を連続的に接触させる構造となっている。
【００２３】
図３、図４に示すように、ケーシング１１は、モータ９を覆う略椀形状のモータカバー１２と、モータカバー１２にモータ９を固定するモータ固定部１３とを備えている。
【００２４】
図４、図５、図６に示すように、モータ固定部１３は、モータ固定板１７と、固定板支持部２９と、第１の弾性体１８Ａと、第２の弾性体１８Ｂとを備えている。モータ固定板１７は、モータカバー１２との間にモータ９を挟んで、モータ９を固定する。固定板支持部２９は、モータカバー１２にモータ固定板１７を固定するものである。第１の弾性体１８Ａと、第２の弾性体１８Ｂは、モータカバー１２とモータ９、モータ固定板１７とモータ９の間に配置して、モータ９をから発生する振動の伝達を抑制するものである。すなわち、モータ９は、モータカバー１２とモータ固定板１７との間に配置され、第１の弾性体１８Ａは、モータ９の回転軸方向における一方側とモータカバー１２との間に設けられる。そして、第２の弾性体１８Ｂは、モータ９の回転軸方向における他方側とモータ固定板１７との間に設けられている。
【００２５】
モータ固定板１７は、図６に示すように、中心に回転軸を通す円形の孔を有し、外周側には放射状に突出した固定部を有している。固定部の先端には、固定用のねじを通す固定孔（図示せず）が設けられている。
【００２６】
モータ９は、モータ固定板１７とモータカバー１２の間で、第１の弾性体１８Ａと、第２の弾性体１８Ｂとが、弾性変形し、元の形状を維持しようとすることで固定されている。
【００２７】
モータ９から取り出される信号発信用の電線１９には、モータ９内部から電気信号がノイズとして電線１９を伝達し、振動を発生させることがある。
【００２８】
電線１９に伝達した振動は、電線１９がケーシング１１に接触すると、振動が伝搬し、ケーシング１１の樹脂から、異音として聴感で感じるレベルになる場合がある。
【００２９】
この異音を聴感で感じないレベルまで低減させるには、モータ９内部から発生するノイズが電線１９を伝搬して振動として発生させないことにあるようにする必要がある。
【００３０】
ケーシング１１は、連通路２５を有している。連通路２５は、モータカバー１２から延び、電線１９が通る四角筒形状の空洞である。連通路２５は、モータ９の回転軸方向に対して垂直方向に延びている。
【００３１】
モータ９は、略円柱形状であり、周壁２６には電線出口２７を設けている。モータ９は、モータ９の電線出口２７から延びる電線１９を有している。モータ９の電線出口は、モータ９の回転方向における連通路２５の中心軸より一方側（図５では、左側）に配置されている。
【００３２】
モータカバー１２側の連通路２５内には、モータ９の回転軸方向に延びた突起部２２を備えている。突起部２２と、モータ９の回転方向における突起部２２より一方側（図５では、左側）の連通路２５の内面との間に第１の空間２３を有している。突起部２２と、モータ９の回転方向における突起部２２より他方側（図５では、右側）の連通路２５の内面との間に第２の空間２４を有している。電線１９は、第２の空間２４を通るように配置されている。
【００３３】
電線１９は、ケーシング１１の連通路２５に設けられた突起部２２に沿わせるように配線する。この突起部２２は、電線１９がモータ９の回転方向における突起部２２より一方側（図５では、左側）の連通路２５の内面に直接接することを防ぐことで、電線１９を通じて発生する振動が伝搬することを抑制するものである。
【００３４】
また、突起部２２に伝達した振動がケーシング１１に伝搬しないよう突起部２２とケーシング１１には第１の空間２３が設けられている。第１の空間２３によって、電線１９から振動が突起部２２に伝搬し、この突起部２２に伝播した振動が、ケーシング１１に伝搬するのを低減できる。
【００３５】
また、電線１９は、電線１９の中心軸方向に対して、略直角方向に振動すると考えられる。突起部２２は、板状であり、突起部２２の面は、連通路２５の中心軸に交わる方向に延びている。電線１９の振動方向に対して、板状の突起部２２の面は、略平行に配置されている。
【００３６】
これにより、電線１９は、突起部２２の面に接触するのでは無く、突起部２２の端部に接触する。電線１９の振動は、突起部２２の略面方向なので、突起部２２が振動し難くなり、ケーシング１１に振動が伝搬することを抑制するものである。
【００３７】
（実施の形態２）
図７は、本発明の実施形態２の送風装置のモータと連通路を示す図である。図８は、本発明の実施形態２の送風装置のモータの電線と緩衝材の断面図である。図９は、本発明の実施形態２の送風装置の緩衝材の内部を示す図である。実施の形態１と同様の構成要素については、同一の符号を付し、その詳細な説明は省略する。
【００３８】
図７、図８、図９に示すように、実施の形態１と相違する点は、第２の空間内における複数の電線１９と、連通路２５の内面と突起部２２との間には、振動伝達抑制部材３３を設けている点である。具体的には、複数の電線１９を束ねて、それらの電線１９に振動伝達抑制部材３３を巻き付けた構成である。
【００３９】
振動伝達抑制部材３３の一例は、発泡部２１を備えた緩衝材２０である。電線１９を束ねて、緩衝材２０を巻き付ける。これにより、振動は、緩衝材２０の発泡部２１に吸収され、減衰させることができる。発泡部２１はほぼ球形の連続体（連続発泡）で、振動はこの球形内で反射することで振動波を打ち消しあうため、いったん緩衝材２０の発泡部２１に吸収された振動は、伝達が抑制されることとなる。
【００４０】
また、電線１９と、モータカバー１２との間には、第３の空間２８を設ける。これにより、電線１９からモータカバー１２への振動の伝達を抑制する。
【００４１】
図１０は、本発明の実施形態２の送風装置のモータと電線と緩衝材を示す図である。図１１は、本発明の実施形態２の送風装置のモータと電線と緩衝材を示し、電線と緩衝材を折り曲げ部分で折り曲げた図である。
【００４２】
具体的には図７、図１０、図１１に示すように、振動伝達抑制部材３３は、電線１９の外周に固定された板形状であり、モータ９の電線出口２７から第２の空間２４まで延びている。振動伝達抑制部材３３は、モータ９の回転軸方向における一方側（図８では上側）である一方側面３０と、モータ９の回転軸方向における他方側（図８では下側）である他方側面３１とを有している。振動伝達抑制部材３３は、緩衝材２０の一方側面が対向するように折り曲がる折り曲げ部分３２を有している。折り曲げ部分３２によって、緩衝材２０の一方側面３０は、連通路２５のモータ９の回転軸方向における一方側である一方側内面２５Ａと対向する。これにより、振動伝達抑制部材３３の覆われた電線１９は、折り曲げ部分３２で折り曲げられ、モータ９の電線出口２７に対向したモータカバー１２から離れ、モータ９に近づき、電線１９とモータカバー１２との間に第３の空間２８ができる。結果として、電線１９からモータカバー１２への振動の伝達を抑制する。また、折り曲げ部分３２によって、振動伝達抑制部材３３の剛性が向上し、電線１９の振動が低減され、ケーシング１１に振動が伝搬することを抑制すると考えられる。
【００４３】
なお、実施の形態において、加湿空気清浄装置として空気清浄部８、フィルター部１６を設けたが、除湿装置、加湿装置、空気清浄装置としても良い。
【産業上の利用可能性】
【００４４】
この技術は、本体ケース内に送風装置を備えた空気清浄機、加湿機、など空調装置に用いることができる。
【符号の説明】
【００４５】
１    本体ケース
１Ａ    第１の本体側面
２    吸気口
３    パネル
４    吹出口
５    開口
６    送風機
７    加湿部
８    空気清浄部
９    モータ
１０    羽根
１１    ケーシング
１２    モータカバー
１３    モータ固定部
１４    貯水容器
１５    タンク部材
１６    フィルター部
１７    モータ固定板
１８Ａ    第１の弾性体
１８Ｂ    第２の弾性体
１９    電線
２０    緩衝材
２１    発泡部
２２    突起部
２３    第１の空間
２４    第２の空間
２５    連通路
２６    周壁
２７    電線出口
２８    第３の空間
２９    固定板支持部
３０    一方側面
３１    他方側面
３２    折り曲げ部分
３３    振動伝達抑制部材
【図１】
2020020279.tif 000003
【図２】
2020020279.tif 000004
【図３】
2020020279.tif 000005
【図４】
2020020279.tif 000006
【図５】
2020020279.tif 000007
【図６】
2020020279.tif 000008
【図７】
2020020279.tif 000009
【図８】
2020020279.tif 000010
【図９】
2020020279.tif 000011
【図１０】
2020020279.tif 000012
【図１１】
2020020279.tif 000013